(57)【要約】　　　（修正有）【課題】患者を、好適に治療槽に導入し好適に保持できる温水治療装置を提供すること。【解決手段】治療槽０１０１と、温度制御部０１０２と、前記治療槽へ患者を出し入れする為の介助支援構成０１０３とを備え、前記温度制御部により温度制御された液体で患者のほぼ全身の体温を所定の温度に制御する温水治療装置０１０４であって、前記介助支援構成は、患者を乗せる乗せ部材０１１０と、乗せ部材又は治療槽を移動させて、乗せ部材を治療槽の内部と外部とに位置移動させる位置移動装置０１１１とからなり、患者に生体監視機器類の端末部材が患者に装着され、該装着される部位を支持する装着部位支持装置０１４１が、前記治療槽又は乗せ部材に取着されてなることを特徴とする温水治療装置である。【選択図】　図１
2004097405.tif 000002
【特許請求の範囲】
【請求項１】
患者の頭部以外のほぼ全身を液体に浸す治療槽と、前記治療槽内の液体を所定の温度に制御する温度制御部と、前記治療槽へ患者を出し入れする為の介助支援構成とを備え、
前記温度制御部により温度制御された液体で患者のほぼ全身の体温を所定の温度に制御する温水治療装置であって、
前記介助支援構成は、患者を乗せる乗せ部材と、乗せ部材又は治療槽を移動させて、乗せ部材を治療槽の内部と外部とに位置移動させる位置移動装置とからなり、
患者に生体監視機器類の端末部材が装着され、該装着される部位を支持する装着部位支持装置が、前記治療槽又は乗せ部材に取着されてなることを特徴とする温水治療装置。
【請求項２】
温度制御部は、治療槽内に設けられ液体を加温する治療槽ヒーターを有することを特徴とする請求項１記載の温水治療装置。
【請求項３】
治療槽内の液体を循環させる循環ポンプが治療槽に付加設置されることを特徴とする請求項１記載の温水治療装置。
【請求項４】
治療槽内の液体を渦流させるエジェクター装置が治療槽内に付加設置されることを特徴とする請求項１記載の温水治療装置。
【請求項５】
乗せ部材は該乗せ部材の下腿載置部を臀部載置部より高位に曲折形成し、治療槽は該治療槽の下体浸入部を上げ底に形成していることを特徴とする請求項１記載の温水治療装置。
【請求項６】
乗せ部材は上体載置部が所定角度だけ起きたリクライニング形態であり、少なくとも患者の頭部を液面より上に支持できることを特徴とする請求項１記載の温水治療装置。
【請求項７】
位置移動装置は、乗せ部材を患者の移乗に適する高さで自動停止させ、又、乗せ部材を患者に麻酔を掛けるに適する高さで自動停止させるものであることを特徴とする請求項１記載の温水治療装置。
【請求項８】
装着部位支持装置が、乗せ部材又は治療槽に、脱着又は収納できることを特徴とする請求項１記載の温水治療装置。
【請求項９】
位置移動装置は、乗せ部材を支持し該乗せ部材を水平方向及び垂直方向に移動させる昇降ストレッチャーであることを特徴とする請求項１記載の温水治療装置。
【請求項１０】
位置移動装置は、乗せ部材の下腿載置部側を支持して該乗せ部材を治療槽の内部と外部とに移動させる片持ちリフトであることを特徴とする請求項１記載の温水治療装置。
【請求項１１】
位置移動装置は、乗せ部材を治療槽内に浸けるように昇降治療槽を昇降移動させる治療槽昇降機であることを特徴とする請求項１記載の温水治療装置。
【請求項１２】
位置移動装置は、治療槽に内蔵され、乗せ部材を支持し該乗せ部材を昇降させる内蔵昇降リフトであることを特徴とする請求項１記載の温水治療装置。
【請求項１３】
位置移動装置は、乗せ部材又は治療槽を自在に垂直方向に移動・停止でき、患者に合わせて乗せ部材を、治療槽内の好適位置に至らせ浸入度合いを調整できるものであることを特徴とする請求項９乃至１２項記載の温水治療装置。
【請求項１４】
位置移動装置は、乗せ部材を上部に形成し患者を搬送する入浴用搬送車であり、
治療槽は、一側開口部に扉が設けられ入浴用搬送車が容易に出入りできる扉付き治療槽であり、
前記入浴用搬送車と前記扉付き治療槽により介助支援構成が構成されることを特徴とする請求項１記載の温水治療装置。
【発明の詳細な説明】
【０００１】
【産業上の利用分野】
本発明は、所定の温度に制御した液体で、人体を所定の温度に加温し治療する温水治療器に関する。
【０００２】
【従来の技術】
従来の技術として、特開平１０−３３６２６号公報に、浴槽、強制循環ボイラー、制御手段、制御部等からなる温浴型温熱治療装置が開示されている。
【０００３】
【発明が解決しようとする課題】
前記従来技術では、比較的急速な深部体温の上昇が実現できるが、患者を好適に浴槽に出入りさせる構成及び患者を好適に保持する構成等は開示されていない。患者を好適に浴槽に出入りさせたり、患者を好適に保持する発明が要望されていた。また、入浴中に患者などの体温が異常に上昇したり、または、異常に下降したりして、身体が危険な状態になったり、病状が悪化するなどの事故があった。
【０００４】
本発明の目的は、上記の課題を解決したもので、患者を、好適に治療槽に導入し好適に保持できる温水治療装置を提供するものである。
【０００５】
【課題を解決するための手段】
即ち本発明は、患者の頭部以外のほぼ全身を液体に浸す治療槽（例えば図１の０１０１）と、前記治療槽内の液体を所定の温度に制御する温度制御部（例えば図１の０１０２）と、前記治療槽へ患者を出し入れする為の介助支援構成（例えば図１の０１０３）とを備え、前記温度制御部により温度制御された液体で患者のほぼ全身の体温を所定の温度に制御する温水治療装置（例えば図１の０１０４）であって、前記介助支援構成は、患者を乗せる乗せ部材（例えば図１の０１１０）と、乗せ部材又は治療槽を移動させて、乗せ部材を治療槽の内部と外部とに位置移動させる位置移動装置（例えば図１の０１１１）とからなり、患者に生体監視機器類の端末部材が装着され、該装着される部位を支持する装着部位支持装置（例えば図１の０１４１）が、前記治療槽又は乗せ部材に取着されてなることを特徴とする温水治療装置である。
又、温度制御部は、治療槽内に設けられ液体を加温する治療槽ヒーターを有する。
更に、治療槽内の液体を循環させる循環ポンプが治療槽に付加設置される。これは、
更に又、治療槽内の液体を渦流させるエジェクター装置（例えば図１の０１１４）が治療槽内に付加設置される。
又、乗せ部材は該乗せ部材の下腿載置部を臀部載置部より高位に曲折形成し、治療槽は該治療槽の下体浸入部を上げ底に形成している。
更に、乗せ部材は上体載置部が所定角度だけ起きたリクライニング形態であり、少なくとも患者の頭部を液面より上に支持できる。
更に又、位置移動装置は、乗せ部材を患者の移乗に適する高さで自動停止させ、又、乗せ部材を患者に麻酔を掛けるに適する高さで自動停止させる。
又、装着部位支持装置が、乗せ部材又は治療槽に、脱着又は収納できる。
更に、位置移動装置は、乗せ部材を支持し該乗せ部材を水平方向及び垂直方向に移動させる昇降ストレッチャーである。
更に又、位置移動装置は、乗せ部材の下腿載置部側を支持して該乗せ部材を治療槽の内部と外部とに移動させる片持ちリフトである。
又、位置移動装置は、乗せ部材を治療槽内に浸けるように昇降治療槽を昇降移動させる治療槽昇降機である。
更に、位置移動装置は、治療槽に内蔵され、乗せ部材を支持し該乗せ部材を昇降させる内蔵昇降リフトである。
更に又、位置移動装置は、乗せ部材又は治療槽を自在に垂直方向に移動・停止でき、患者に合わせて乗せ部材を、治療槽内の好適位置に至らせ浸入度合いを調整できるものである。
又、位置移動装置は、乗せ部材を上部に形成し患者を搬送する入浴用搬送車であり、治療槽は、一側開口部に扉が設けられ入浴用搬送車が容易に出入りできる扉付き治療槽であり、前記入浴用搬送車と前記扉付き治療槽により介助支援構成が構成される。
【０００６】
【作用】
（請求項１の作用）
本発明の温水治療装置は、液体で患者のほぼ全身の体温を所定の温度に制御し、患者を治療する。
治療槽で患者の頭部以外のほぼ全身を液体に浸す。温度制御部で治療槽内の液体を所定の温度に制御する。
【０００７】
介助支援構成で治療槽へ患者を出し入れする。
施療空間は、治療槽の患者上体浸入部の周囲に、施療者及び生体監視機器類が接近できる空間であり、この空間を確保している。
介助支援構成の乗せ部材は、患者を乗せる。位置移動装置は、乗せ部材又は治療槽を移動させることによって、乗せ部材を治療槽の内部と外部とに位置移動させる。
【０００８】
生体監視機器類の端末部材が患者の所定装着部位に装着されるが、装着部位支持装置は前記の装着部位を支持する。装着部位支持装置は前記治療槽又は乗せ部材に取着する。
【０００９】
（請求項２の作用）
温度制御部が有する治療槽ヒーターは治療槽内に設けられ液体を加温する。
【００１０】
（請求項３の作用）
治療槽に設置される循環ポンプは治療槽内の液体を循環させ、液体の温度を均一にする。
【００１１】
（請求項４の作用）
治療槽内に設置されるエジェクター装置は治療槽内の液体を渦流させ、液体の温度を均一にする。
【００１２】
（請求項５の作用）
乗せ部材の下腿載置部を臀部載置部より高位に曲折形成する。下腿載置部に対応する治療槽の下体浸入部を上げ底に形成する。治療槽に形成された上げ底は、治療槽の収容液体量を少なくする。
【００１３】
（請求項６の作用）
上体載置部が所定角度だけ起きたリクライニング形態の乗せ部材は、治療槽に浸入する患者の少なくとも頭部を液面より上に支持する。
【００１４】
（請求項７の作用）
位置移動装置は、乗せ部材を患者の移乗に適する位置で自動停止させ、又、乗せ部材を患者の麻酔を掛けるに適する位置で自動停止させる。
【００１５】
（請求項８の作用）
装着部位支持装置は、治療槽又は乗せ部材に脱着できる。或いは、治療槽又は乗せ部材から突出して設けられている装着部位支持装置が、治療槽又は乗せ部材から非突出状に収納できる。乗せ部材に患者が乗り降りする時には、装着部位支持装置が邪魔にならないように、装着部位支持装置を治療槽又は乗せ部材から離脱する。治療中は、生体監視機器類の端末部材が液体に浸からないように、装着部位支持装置を治療槽又は乗せ部材に取着し、前記端末部材を支持する。
【００１６】
（請求項９の作用）（実施例１）
位置移動装置の具体例である昇降ストレッチャーは、乗せ部材を支持し該乗せ部材を水平方向及び垂直方向に移動させる。
【００１７】
（請求項１０の作用）（実施例２）
位置移動装置の別の具体例である片持ちリフトは、乗せ部材の下腿載置部側を支持して該乗せ部材を治療槽の内部と外部とに移動させる。
【００１８】
（請求項１１の作用）（実施例３）
位置移動装置の更に別の具体例である治療槽昇降機は、乗せ部材を昇降治療槽内に浸けるように昇降治療槽を昇降移動させる。
【００１９】
（請求項１２の作用）（実施例４）
位置移動装置の更に別の具体例である内蔵昇降リフトは、治療槽に内蔵され、乗せ部材を支持し該乗せ部材を、治療槽の液体より上位置から液体中へ沈める。
【００２０】
（請求項１３の作用）
位置移動装置は、乗せ部材又は治療槽を自在に移動・停止でき、患者に合わせて乗せ部材を、治療槽内の好適位置に至らせ、浸入度合いを調整する。
【００２１】
（請求項１４の作用）（実施例５）
位置移動装置の更に別の具体例である入浴用搬送車は、乗せ部材を上部に形成し患者を搬送する。
治療槽の具体例である扉付き治療槽は、一側開口部に扉が設けられ入浴用搬送車が容易に出入りできる。
入浴用搬送車と前記扉付き治療槽とで介助支援構成を構成し、該介助支援構成で患者を扉付き治療槽へ出し入れする。
【００２２】
【実施例】
図１乃至図５、図１０に本発明の第１実施例を示す。
●（全体）
図１は、本件発明の全体構成を示すものである。第１実施例の温水治療装置０１０４は、患者の頭部以外のほぼ全身を液体（＝具体的には水や、これに薬液を混入したものなど）に浸す治療槽０１０１と、前記治療槽内の液体を所定の温度に制御する温度制御部０１０２と、前記治療槽へ患者を出し入れする為の介助支援構成０１０３とを備える。
前記温水治療装置は温度制御部２により温度制御された液体で患者のほぼ全身の体温を所定の温度に制御するものである。
【００２３】
●（治療槽）
治療槽０１０１の、患者の上体が浸入する上体浸入部の周囲には、施療者及び生体監視機器類０１０５が接近できる施療空間が確保される。
治療槽に、治療槽内の液体を循環させる循環ポンプが設置され、更に、治療槽内の液体を渦流させるエジェクター装置０１１４が設置され、更に又、治療槽内に設けられ液体を加温する治療槽ヒーターが設置される。
【００２４】
●（温調槽）
治療槽に液体を供給する温調槽０１０２が該治療槽に併設される。
図５の系統図に示すように、温調槽には、電線部材等でなる制御接続部材と、管部材でなる循環接続部材と、実施例装置を操作する操作パネルと、温調槽に湯を導入する給湯配管と、温調槽に水を導入する給水配管と、排水配管と、温調槽に流入する混合湯水に薬液を注入する薬液注入口と、温調槽内液体を加温する温調槽ヒーターと、温調槽内の液体を循環し温度及び薬液濃度の均一を図る温調槽循環用ポンプとが設けられる。
【００２５】
●（温度制御部）
図１に示すように、温度制御部０１０２の具体例は、液体を収容し温度制御を図る前記温調槽と、温調槽に給湯する給湯配管０１２６と、温調槽に給水する給水配管０１２７と、温調槽内液体を加温する温調槽ヒーターと、治療槽内液体を加温する治療槽ヒーターと、温調槽内に設けられ液体の温度を測る温調槽温度センサーと、治療槽内に設けられ液体の温度を測る治療槽下位温度センサー（治療槽を充たす液体の底部近くの温度を計測するためのもの）及び治療槽上位温度センサー（治療槽を充たす液体の上部近くの温度を計測するためのもの）と、温度制御機能とからなる。
図示を省略するが、温度制御部の他の例では、温調槽を省略し、治療槽へ給湯・給水配管を接続し、治療槽内の液体を温度調節することも可能である。
【００２６】
●（介助支援構成）
図１、４に示すように、前記介助支援構成０１０３は、患者を乗せる乗せ部材０１１０と、乗せ部材又は治療槽を移動させて、乗せ部材を治療槽の内部と外部とに位置移動させる位置移動装置０１１１とからなる。
図２、３に示す位置移動装置の具体例は、乗せ部材を支持し該乗せ部材を水平方向及び垂直方向に移動させる昇降ストレッチャー０２１５である。
【００２７】
昇降ストレッチャーは、伸縮部を有し、伸縮作動し、乗せ部材を昇降させるものである。又、伸縮部は、乗せ部材を患者の移乗に適する上方高さで自動停止させ、更に、乗せ部材を患者に麻酔を掛ける作業に適する下方高さで自動停止させるものである。例えば、患者の腰の高さあたりを上方高さなどとする。「上方」、「下方」は、便宜上のことばであって、上下逆であってもよい。
治療槽に浸入する時には、乗せ部材は上体載置部が所定角度だけ起きたリクライニング形態にできるものであり、少なくとも患者の頭部を液面より上に支持できる。
【００２８】
図１に示すように、乗せ部材の下腿載置部０１１０ａは、臀部載置部０１１０ｃより高位に曲折形成される。下腿載置部に対向する前記治療槽の下体浸入部は上げ底に形成される。
【００２９】
●（装着部位支持装置）
患者に生体監視機器類の端末部材４０が装着される。その装着される部位を支持する装着部位支持装置が、前記乗せ部材に脱着又は収納可能に取着される。例えば、配線の先端に電子体温センサーがある場合には、その配線の他端を装着部位支持装置が支持する。
【００３０】
図１０に示すように、装着部位支持装置は、具体例では、患者の上肢を支える面状部材１０６０と、面状部材を支持し乗せ部材に取着する支持具１０６１である。支持具は、乗せ部材に設けられた穴に挿通されノブネジ１０６３で止められる。
【００３１】
前記ノブネジを緩め、支持具を穴具内に退入させると面状部材は乗せ部材から非突出状態に収納される。或いは、支持具を穴具から抜き去れば、装着部位支持装置を乗せ部材から離脱できる。
治療槽の上体浸入部の側壁は、ホース、コード等を適宜支持する支持縁部である。
【００３２】
装着部位支持装置の取着位置の他の実施例では、治療槽の上体浸入部の側壁位置に、脱着又は収納可能に取着される。
【００３３】
●（その他の部材）
図１中、０１５６は排水接続部材、図５中、３８は排水ポンプ、４５は薬液タンク、４７は排水路、４８は減圧弁、４９は比例制御電磁弁、５０は電磁弁、５１は逆止弁、５２はフロートスイッチ、５３は濾過フィルター、５４はノズル、５７は流量計、５８は給水温度センサー、５９は給湯温度センサーである。
【００３４】
（装置の準備）
●第１実施例を使用する際には、先ず、給水・給湯配管から温調槽へ、湯・水を適宜にミキシングしながら注ぎ、温調槽内に所定温度で給湯する。
温調槽が満水になると該温調槽の湯を治療槽へ治療槽循環用ポンプで移動させる。
【００３５】
温調槽へは給水・給湯配管から湯水を引き続き注入する。治療槽と温調槽の両槽が満水状態になるまで注入する。
薬液タンクの薬液を殺菌効果が出る程度に適量温調槽へ注入する。生体監視機器類５を治療槽の近くへ移動させ設置する。
【００３６】
（患者の準備）
昇降ストレッチャーの乗せ部材に患者を乗せ、治療槽の直上に移動する。
患者に麻酔を掛けた後、該患者に生体監視機器類５から出た各種端末部材を、上腕、鎖骨部、顔面等に装着する。生体監視に係る監視項目は、心電、直腸温度、点滴による薬液投与、血圧、血輸量、血液温度、尿酸量、その他である。
【００３７】
各種端末部材の具体例は、電極、注射針、温度センサー、光発受光器、その他であり、コード及びホースで生体監視機器類に接続される。
装着部位支持装置を乗せ部材から上方へ突出させ、該装着部位支持装置で装着部位を支持する。
【００３８】
昇降ストレッチャーの伸縮部を駆動して乗せ部材を下降させ、患者を液体中へ浸入させ、治療を開始する。所定の治療温度に調節した液体で、患者を昇温し所定温度に制御し、感染症又は癌等の治療を行なう。
【００３９】
（治療中、温度制御）
治療槽の湯と温調槽の湯を循環移動させる。即ち、温調槽の湯を治療槽循環用ポンプで治療槽へ送り、治療槽の溢水が温調槽へ戻り、循環する。
温調槽の湯は温調槽循環用ポンプで循環させ、温調槽内の湯温度を均一にする。治療槽の湯は循環ポンプで循環させ、治療槽の内の湯温度を均一にする。
【００４０】
温度制御部が有する温度制御機能で、温調槽及び治療槽内の液体の湯温を制御する。温度制御機能は、温度センサーの入力を得て、給水弁、給湯弁を開閉制御し、温調槽ヒーター、治療槽ヒーターを通電制御する。
【００４１】
温調槽に湯・水を供給して温調槽内の液体温度を加温、冷却し、治療槽ヒーターは、治療槽内の液体温度を加温する。温調槽ヒーターで温調槽内の液体を加温する。温調槽内の液体温度を所定の治療温度に保つ。
【００４２】
治療槽内に設置されるエジェクター装置は治療槽内の液体を渦流させ、液体の温度を均一にする。
【００４３】
治療槽の収容液体量を少なくするために、乗せ部材の下腿載置部を臀部載置部より高位に曲折形成し、下腿載置部に対向する治療槽の下体浸入部１ｂを上げ底１ｃに形成する。
【００４４】
患者の頭部及び頸部を液面より上に支持して、該患者を治療槽に浸入させるために、乗せ部材の上体載置部を所定角度だけ起きたリクライニング形態になす。
【００４５】
位置移動装置は、乗せ部材を患者の移乗に適する下方位置で自動停止させる。又、乗せ部材を患者の麻酔を掛けるに適する上方位置で自動停止させる。
治療槽及び温調槽の溢水は、排水路からも排水できる。
【００４６】
図６に示す第２実施例は、第１実施例に係る昇降ストレッチャーを片持ちリフト０６１６に代えたものである。
片持ちリフトは、乗せ部材０６１０の、患者の足部側を片持ち支持し、頭部側を開放しており、施療者が患者の上体に接近し易いように配慮して構成される。
即ち、片持ちリフト１６は、治療槽０６０１の下体浸入部側に設置され、乗せ部材の下腿載置部側を支持する。
片持ちリフトは、乗せ部材を治療槽の内部と外部とに所定の軌跡をもって移動させる。
【００４７】
図７に示す第３実施例は、第１実施例における昇降ストレッチャーを、治療槽内に設けられ、乗せ部材を固定的に支持する固定台に代え、治療槽を、治療槽昇降機０７１７で昇降可能に支持される昇降治療槽０７３７に代えたものである。
【００４８】
治療の際は、先ず、患者を乗せ部材に乗せ、麻酔、端末部材の装着等を行なう。次に、液体を収容した昇降治療槽を治療槽昇降機で上昇させ、患者を液体に浸ける。液体の温度を制御し、患者の体温を制御し治療する。
【００４９】
図８に示す第４実施例は、第１実施例における昇降ストレッチャーを、治療槽内に伸縮可能に内蔵設置される内蔵昇降リフト０８１８に代えたものである。
乗せ部材０８１０は、内蔵昇降リフトで昇降される。
治療の際は、患者を乗せ部材に乗せ、麻酔、端末部材の装着を行なう。昇降乗せ部材を下降させ、患者を治療槽内の液体に浸ける。
液体の温度を所定の一定温度に制御し、患者の体温を上昇させ治療する。
【００５０】
図９に示す第５実施例は、第１実施例における昇降ストレッチャーを、入浴用搬送車に代え、治療槽０９０１を、入浴用搬送車が容易に出入りできる扉付き治療槽に代えたものである。
第５実施例では、位置移動装置が、乗せ部材０９１０を上部に形成し患者を搬送する入浴用搬送車である。前記入浴用搬送車と前記扉付き治療槽とから介助支援構成が構成される。
【００５１】
治療の際は、患者を入浴用搬送車に乗せ、入浴用搬送車を扉付き治療槽に進入させる。扉０９３９を閉める。患者に麻酔、端末部材の装着等を行なう。液体を、扉付き治療槽に供給し適温に制御し、患者を治療する。
【００５２】
【発明の効果】
（請求項１の効果）
本発明では、生体監視機器類の端末部材が患者に装着されるが、その装着部位を支持する装着部位支持装置が、前記治療槽又は乗せ部材に取着されてなるので、装着部位を液面より上に確実に保持でき、安心して治療を行なえ、好都合である。
【００５３】
（請求項２の効果）
本発明に係る温度制御部は、治療槽内に設けられ液体を加温する治療槽ヒーターを有するから、液体の温度を精度良く一定に保持する制御を容易とし、好都合である。
【００５４】
（請求項３の効果）
本発明では、治療槽内の液体を循環させる循環ポンプが治療槽に付加設置されるから、治療槽内の液体温度の均一化が図れ、患者の温度制御を確実に行なえ、好都合である。
【００５５】
（請求項４の効果）
本発明は、治療槽内の液体を渦流させるエジェクター装置が治療槽内に付加設置されるから、治療槽内の液体温度の均一化が図れ、患者の温度制御を確実に行なえ、好都合である。
【００５６】
（請求項５の効果）
本発明に係る乗せ部材は該乗せ部材の下腿載置部を臀部載置部より高位に曲折形成し、治療槽は該治療槽の下体浸入部を上げ底に形成しているから、乗せ部材は患者を安楽な姿勢に保つことができると共に、治療槽はその容積を減らすことができ、加温・冷却制御速度を向上でき、好都合である。
【００５７】
（請求項６の効果）
本発明は、治療槽に浸入する時には、乗せ部材は上体載置部が所定角度だけ起きたリクライニング形態にできるものであり、少なくとも患者の頭部を液面より上に支持できるものであるから、上腕、頸部、顔面等に装着された端末部材及び装着部位が液体中に浸からず、適切に装着部位を維持して、安全に治療ができ、好都合である。
【００５８】
（請求項７の効果）
本発明では、位置移動装置は、乗せ部材を患者の移乗に適する高さで自動停止させ、又、乗せ部材を患者の麻酔を掛けるに適する高さで自動停止させるものであるから、移乗の介助作業や、麻酔掛けの作業が、行ないやすく、好都合である。
【００５９】
（請求項８の効果）
本発明に係る装着部位支持装置は、乗せ部材又は治療槽に、脱着又は収納できるから、患者が乗せ部材に乗り降りする時には、装着部位支持装置を離脱又は収納すれば、患者の乗降動作の邪魔にならず、患者が治療槽内に浸入する時には装着部位支持装置を好適位置に取着すれば、装着部位を支持でき、生体監視機器類５の端末部材が液体に浸からず、良好に治療を実施でき、好都合である。
【００６０】
（請求項９の効果）
本発明に係る位置移動装置の具体例である昇降ストレッチャーは、乗せ部材を支持し該乗せ部材を水平方向及び垂直方向に移動させるものであるから、昇降ストレッチャーの、押し込み操作及び引き出し操作と、乗せ部材の下降及び上昇操作で患者を治療槽へ出し入れ操作と、搬送操作とが、１台の昇降ストレッチャーで軽易に行なえ、製作経費を安価にでき、好都合である。
【００６１】
（請求項１０の効果）
本発明に係る位置移動装置を、乗せ部材の下腿載置部側を支持して該乗せ部材を治療槽の内部と外部とに移動させる片持ちリフトとしたものは、乗せ部材が安定して支持され、治療槽に並列した横側部から治療槽内へ、或いは、治療槽から前記横側部へ移動でき、治療槽への出入りを自動的に確実に行なえ、好都合である。
【００６２】
（請求項１１の効果）
本発明に係る位置移動装置を、乗せ部材を治療槽内に浸けるように治療槽を昇降移動させる治療槽昇降機としたものは、患者は乗せ部材に乗ったままで、昇降移動や水平方向移動をせず、端末部材に不慮の引っ張り力が掛かり脱落する等の心配が無く、患者を安定に一定位置に支持でき、好都合である。
【００６３】
（請求項１２の効果）
本発明に係る位置移動装置を、治療槽に内蔵され、乗せ部材を支持し該乗せ部材を治療槽の中へ沈める内蔵昇降リフトとしたものは、乗せ部材が治療槽内に設けられているので、乗せ部材を治療槽の上部開口部に合わせる手数が不要であり、昇降を確実に行え、好都合である。
【００６４】
（請求項１３の効果）
本発明に係る位置移動装置は、乗せ部材又は治療槽を自在に移動・停止でき、患者に合わせて乗せ部材を、治療槽内の好適位置に至らせ浸入度合いを調整できるものである、治療槽の液体量を調整する必要がなく、一定量の液体を満たしておけばよいので、治療槽への液体供給操作が容易であり、好都合である。
【００６５】
（請求項１４の効果）
本発明に係る位置移動装置は、乗せ部材を上部に形成し患者を搬送する入浴用搬送車であり、治療槽は、一側開口部に扉が設けられ入浴用搬送車が容易に出入りできる扉付き治療槽であり、前記入浴用搬送車と前記扉付き治療槽とから介助支援構成が構成されるから、患者は座姿勢又はリクライニング姿勢で、安心して治療を受けることができ、又、仰臥姿勢を取ることが困難な患者でも安楽に治療を受けることができ、好都合である。
【図面の簡単な説明】
【図１】本発明の第１実施例の平面図。
【図２】本発明の第１実施例の正面図。
【図３】本発明の第１実施例の右側面図。
【図４】本発明の第１実施例に係る昇降ストレッチャーの平面図。
【図５】本発明の第１実施例の配管系統図。
【図６】本発明の第２実施例の斜視図。
【図７】本発明の第３実施例の正面断面図。
【図８】本発明の第４実施例の正面断面図。
【図９】本発明の第５実施例の斜視図。
【図１０】本発明の第１実施例に係る装着部位支持装置を示す概念図。
【符号の説明】
１　　治療槽
１ａ　上体浸入部
１ｂ　下体浸入部
１ｃ　上げ底
２　　温度制御部
３　　介助支援構成
４　　温水治療装置
５　　生体監視機器類
９　　施療空間
１０　　乗せ部材
１０ａ　下腿載置部
１０ｂ　上体腿載置部
１０ｃ　臀部載置部
１１　　位置移動装置
１２　　治療槽ヒーター
１３　　循環ポンプ
１４　　エジェクター装置
１５　　昇降ストレッチャー
１６　　片持ちリフト
１７　　治療槽昇降機
１８　　内蔵昇降リフト
１９　　入浴用搬送車
３７　　昇降治療槽
４０　　端末部材
４１　　装着部位支持装置
４２　　開口部
【図１】
2004097405.tif 000003
【図２】
2004097405.tif 000004
【図３】
2004097405.tif 000005
【図４】
2004097405.tif 000006
【図５】
2004097405.tif 000007
【図６】
2004097405.tif 000008
【図７】
2004097405.tif 000009
【図８】
2004097405.tif 000010
【図９】
2004097405.tif 000011
【図１０】
2004097405.tif 000012